(57)【要約】  本発明は、扁平筆記具（１）および扁平筆記具を筆記帳または手帳の支持表面上に保持する部品（２）からなるアセンブリに関し、保持部品（２）は、保管位置に配置された扁平筆記具（１）が支持表面に対して平行に延びるように扁平筆記具（１）を静止させるアセンブリにおいて、保持部品（２）は、支持表面に当接するように構成された第１の固定面（２１１）を有する本体部（２１）および第１の固定面（２１１）に対向する第２の面（２２１）を含み、扁平筆記具（１）を支持表面上に静止させる手段を担持し、保持部品（２）は、筆記帳または手帳から突出することなく、支持表面上に固定することができる。
2014516828.tif 000002
【特許請求の範囲】
【請求項１】
扁平筆記具（１）と、たとえば筆記帳または手帳のカバーまたはページである筆記帳または手帳の扁平支持表面（３）に扁平筆記具（１）を保持する保持部品（２）とからなるアセンブリにおいて、
保持部品（２）は、扁平支持表面（３）に固定され、扁平支持表面（３）に平行に延びる保管位置にあるとき、扁平筆記具を着脱可能に静止させ、
保持部品（２）は、扁平支持表面（３）に固定される第１の平坦面（２１１）、いわゆる固定面と、固定面（２１１）に対向する第２の平坦面（２２１）とを有し、扁平筆記具（１）を保管位置に静止させる手段を担持する本体部（２１）で構成され、
固定面（２１１）が保持部品（２）を扁平支持表面（３）に固定する手段を担持することを特徴とするアセンブリ。
【請求項２】
保持部品（２）を固定する手段は、接着固定手段であり、任意的には着脱可能な接着固定手段であることを特徴とする請求項１に記載のアセンブリ。
【請求項３】
保持部品（２）を固定する接着固定手段は、保持部品（２）の固定面（２１１）に接着させた両面接着テープであり、両面接着テープが固定面（２１１）に固定された後、両面接着テープの自由表面上に接着剤が存在し、その接着剤は、可能ならば着脱可能な接着剤であることを特徴とする請求項１または２に記載のアセンブリ。
【請求項４】
保持部品（２）の本体部（２１）は、固定面を構成する第１の平坦面および第２の平坦面（２２１）を構成する第２の扁平表面を有するタブレットの形態を有し、扁平筆記具（１）を静止させる手段を担持し、
静止させる手段は、タブレットの第２の表面に配置されたループまたはフックで構成され、
扁平筆記具（１）は、保持部品（２）のループまたはフックと係合するフックまたはループを有し、
これらのループまたはフックにより、扁平筆記具（１）を保持部品（２）に対して静止させることを特徴とする請求項１〜３のいずれか１に記載のアセンブリ。
【請求項５】
保持部品（２）の本体部（２１）は、固定面を構成する第１の平坦面および第２の平坦面（２２１）を構成する第２の扁平表面を有するタブレットの形態を有し、扁平筆記具（１）を静止させる手段を担持し、
静止させる手段は、磁石を含む部材または磁石により引き付けられる部材により構成され、
扁平筆記具（１）は、磁石により引き付けられる部材または磁石を含む部材により構成され、
これらの間の磁力による引力により、扁平筆記具（１）を保持部品（２）に対して静止させることを特徴とする請求項１〜３のいずれか１に記載のアセンブリ。
【請求項６】
扁平筆記具（１）を保持部品（２）に静止させる手段は、スナップ固定式に扁平筆記具（１）を保持部品（２）に静止させるために、扁平筆記具（１）により担持された金属部材に圧力下で係合するように配置された金属部材により構成されることを特徴とする請求項１〜３のいずれか１に記載のアセンブリ。
【請求項７】
保持部品（２）の本体部（２１）は、固定面（２１１）を構成する平坦面、および内部に空洞を含むブロックを有する扁平ブロックの形態を有し、
扁平ブロックのブロックは、固定面（２１１）に実質的に平行に配向された本体部（２１）の一方の端面（２１３）において開口部を有し、
ブロックの開口部は、扁平筆記具（１）の一部を収容する寸法を有し、扁平筆記具（１）の一部を保管位置に保持し、
空洞（２２）は、本体部（２１）の第２の端面（２２１）を構成する下面、および下面（２２１）に対向する上面（２２２）を含む上壁により画定され、
空洞（２２）の下面（２２１）または上面（２２２）のうちの一方、および保管位置にある空洞（２２）に挿入された扁平筆記具（１）の一部が突起部（２２３）を有し、空洞（２２）の下面（２２１）または上面（２２２）のうちの他方、および保管位置にある空洞（２２）に挿入された扁平筆記具（１）の一部が突起部（２２３）を受容する凹部（１３４）を有し、
突起部（２２３）および凹部（１３４）は、扁平筆記具（１）が保管位置に配置されたとき、保持部品（２）に対する扁平筆記具（１）の挿入／離脱方向において隣接することにより係止部を構成するような寸法を有することを特徴とする請求項１〜３のいずれか１に記載のアセンブリ。
【請求項８】
扁平筆記具（１）は、長く扁平した本体部（１１）を有し、本体部（１１）は、筆記先端部が延びる一方の端面（１１３）、および扁平した固定部（１３）が延びる対向する他方の端面（１１４）を有し、
扁平筆記具（１）が保管位置に配置されるとき、固定部（１３）が保持部品（２）の空洞（２２）内に収容されるように、本体部（１１）の厚みは、空洞（２２）の下面（２２１）と上面（２２２）との間の最大距離と定義される空洞（２２）の高さより薄く、
扁平筆記具（１）が保管位置に配置されるとき、固定部（１３）の第１の端面（１３１）が、空洞（２２）の下面（２２１）に対向し、固定部（１３）の第１の端面（１３１）に対向する第２の端面（１３２）が、空洞（２２）の上面（２２２）に対向するように配置され、
固定部（１３）の第１の端面（１３１）もしくは第２の端面（１３２）が、凹部（１３４）もしくは突起部（２２３）を担持し、または空洞（２２）の下面（２２１）もしくは上面（２２２）が突起部（２２３）もしくは凹部（１３４）を担持することを特徴とする請求項７に記載のアセンブリ。
【請求項９】
扁平筆記具（１）の本体部（１１）の第２の端面（１１４）は、保持部品（２）の本体部（２１）の第１の端面（２１３）と相補的な形状を有し、
保持部品（２）の本体部（２１）は、空洞（２２）にて開口し、
固定部（１３）の凹部（１３４）もしくは突起部（２２３）および扁平筆記具（１）の本体部（１１）の第２の端面（１１４）の間の距離は、突起部（２２３）もしくは突起部（２２３）および保持部品（２）の本体部（２１）の第１の端面（２１３）の間の距離に等しく、扁平筆記具（１）が保管位置に配置されるとき、扁平筆記具（１）の本体部（１１）の第２の端面（１１４）が保持部品（２）の本体部（２１）の第１の端面（２１３）と適合することを特徴とする請求項７に記載のアセンブリ。
【請求項１０】
保持部品（２）の突起部（２２３）が空洞（２２）の上面（２２２）により担持され、固定部（１３）の厚みが空洞（２２）の高さより薄く、固定部（１３）が扁平筆記具（１）の本体部（１１）により担持され、扁平筆記具（１）が保管位置に配置されるとき、固定部（１３）の第２の端面（１１４）が空洞（２２）の上面（２２２）に当接し、固定部（１３）の第１の端面（１３１）と空洞（２２）の下面（２２１）との間に公差が設けられることを特徴とする請求項８または９に記載のアセンブリ。
【請求項１１】
空洞（２２）の上壁の外側表面（２１２）および扁平筆記具（１）の本体部（１１）の外側表面は、扁平筆記具（１）が保管位置に配置されるとき、支持表面（３）の対向するように構成され、同一の断面形状を有し、
固定面（２１１）と上壁の外側表面（２１２）との間の固定面（２１１）に垂直な方向の最大距離と定義される保持部品（２）の本体部（２１）の高さは、本体部（１１）の厚みは、空洞（２２）の下面（２２１）と上面（２２２）との間の最大距離と定義される空洞（２２）の高さは、扁平筆記具（１）が保管される空洞（２２）に挿入されない扁平筆記具（１）の部分の厚みと実質的に同一であることを特徴とする請求項７〜１０のいずれか１に記載のアセンブリ。
【請求項１２】
扁平筆記具（１）の扁平本体部（１１）および保持部品（２）の扁平本体部（２１）は、スピードバンプのような断面形状を有し、
外側表面（１１１，２１１）は、保持部品（２）が固定される支持表面（３）に対向するように構成されることを特徴とする請求項７〜１１のいずれか１に記載のアセンブリ。
【発明の詳細な説明】
【技術分野】
【０００１】
本発明は、筆記具の技術分野に関し、とりわけ扁平した表面上、すなわち筆記帳または手帳（ノートブック）の内側カバーに筆記具を保持できる手段に関するものである。
【背景技術】
【０００２】
「筆記具」は、たとえばペン、鉛筆、先端フェルトマーカ、またはフェルトペン等の筆記用、マーキング用、または描画用の先端部を有する任意の道具を意味する。
【０００３】
ペンを支持具に固定し、ユーザが支持具を用いて、ペンの一方の端部に固定された細長いリップの形態を有する狭持部品で筆記し、ペンを支持具の端部に着脱可能に緩く押圧するキャップに固定することは広く知られている。
【０００４】
狭持固定部品によるれいじ具体的なシステムが国際特許出願公開第2004/085171号に開示され、このシステムは、平坦なペンタイプの筆記具からなるアセンブリ、およびクランプデバイスに関し、筆記帳または手帳のページ上に配置される２つの弾性脚部と、クランプデバイスを当該ページの所定位置に保持するように狭持するための各ページの表面上の脚部とを有するものである。
【０００５】
別の同様の具体的なシステムが英国特許出願第2290264号に開示されており、このシステムは、平坦な筆記具および長い弾性本体部を有し、その一方の端部領域は湾曲弾性部品により形成され、他方の端部領域はＵ字湾曲部品により形成されている。
【０００６】
湾曲弾性部品は、筆記具の端部に設けられた凹部と係合するように構成され、ボタンおよびノッチを担持し、ボタンは、弾性本体部に固定されるとき、筆記具の本体部に設けられた開口部内に延び、ノッチは筆記具を固定位置に保持する。
【０００７】
弾性本体部は、Ｕ字湾曲部品により形成される内部空間内に、すなわちボタンおよびノッチを担持し、筆記具が延びるページの表面において筆記具の表面に当接する第１の面と、ページの対向する表面に当接する第２の表面との間、つまりページを挟む一方の面と他方の面との間に、Ｕ字湾曲部品の互いに対向する２つの内側表面の間にページを狭持することにより、筆記帳のページに固定される。
【０００８】
換言すると、弾性本体部はＵ字湾曲部品を有し、Ｕ字湾曲部品は、互いに対向する２つの内面を有し、その間において、筆記具弾性本体システムが固定されるページを狭持するものである。
【０００９】
いずれの場合でも、狭持リップを担持する場合には直接的に、上述のクランプデバイスおよび弾性本体部を有する場合には間接的にページの端部に筆記具を固定するところ、筆記具および／またはクランプデバイスが、依然として、鞄の中で筆記帳または手帳を取扱い、または持ち運んでいる間に筆記帳または手帳から意図せず分離する可能性がある。
【００１０】
さらに、筆記帳または手帳に筆記具を固定するために必要な狭持動作により、筆記具が固定されるページの端面に損傷を与える場合がある。
【００１１】
すなわち本発明は、扁平筆記具と、筆記帳または手帳のページに損傷を与えることなく、筆記具が意図せず分離しないように筆記具を保持する部品とからなるアセンブリを提供することを目的とする。
【先行技術文献】
【特許文献】
【００１２】
【特許文献１】国際特許出願公開第2004/085171号
【特許文献２】英国特許出願第2290264号
【発明の概要】
【００１３】
すなわち本発明は、扁平筆記具と、たとえば筆記帳または手帳のカバーまたはページである筆記帳または手帳の扁平支持表面に扁平筆記具を保持する保持部品とからなり、保持部品は、扁平支持表面に固定され、扁平支持表面に平行に延びる保管位置にあるとき、扁平筆記具を着脱可能に静止させるアセンブリに関し、保持部品は、扁平支持表面に固定される第１の平坦面、いわゆる固定面と、固定面に対向する第２の平坦面とを有し、扁平筆記具を保管位置に静止させる手段を担持する本体部で構成され、固定面が保持部品を扁平支持表面に固定する手段を担持するものである。
【００１４】
すなわち、本発明のように２つの対向する面を有さないが、支持部が当接し、互いに対向する２つの面を有し、支持表面に固定されることなく、筆記帳または手帳の一方の端面から突出する既知のクランプデバイスおよび狭持デバイスに比して、本発明に係る保持部品は、筆記帳または手帳から突出させることなく、固定手段を用いて、支持表面に固定することができる。
【００１５】
換言すると、先行技術においては、互いに対向する２つの面が筆記帳または手帳のカバーまたはページの一部の端部を受容するための所定ギャップだけ離間して配置され、これらの面の間にカバーまたはページの一部の端部を狭持するが、本発明おいては、対向する端面が本体部により分離される。
【００１６】
保持部品が筆記帳または手帳から突出しないので、たとえば筆記帳または手帳を収容する鞄の内側表面等の表面と擦れる場合等、これらが意図せず分離することを防止することができる。
【００１７】
筆記具および保持部品が扁平であるため、本発明に係るアセンブリを閉じた場合でも、筆記帳または手帳の外形形状を変えないようにすることができる。
【００１８】
筆記具の長さが筆記帳または手帳の最大の寸法、とりわけ長さまたは幅より短くなるように、筆記具を好適に選択することにより、保持部品が筆記帳または手帳の支持表面の所定位置に固定し、筆記具が保管位置にあるとき、保持部品−筆記具アセンブリが筆記帳または手帳から突出しないようにすることができる。このように、筆記帳または手帳から何も突出しないので、筆記具が保持部品から意図せず分離するリスクを回避することができる。
【００１９】
さらに、筆記具は、筆記具が保管位置にあるとき、筆記帳または手帳の中に全体が収まるような寸法を有するので、筆記先端部を保護するためのクローズキャップを設ける必要がない。ただし当然のことながら、筆記具がこうしたキャップを有していてもよい。
【００２０】
好適には、保持部品を固定する手段は、接着固定手段であり、任意的には着脱可能な接着固定手段である。着脱可能な接着固定手段は、必要ならば、保持部品を接着固定するもの、または非接着固定するものであってもよい。ユーザは、保持部品を非接着固定して、別の支持表面に固定してもよい。
【００２１】
保持部品を固定する接着固定手段は、保持部品の固定面に接着させた両面接着テープであり、両面接着テープが固定面に固定された後、両面接着テープの自由表面上に接着剤が存在し、その接着剤は、可能ならば着脱可能な接着剤であってもよい。
【００２２】
保持部品が当接する両面接着テープの表面上に存在する接着剤は、着脱可能な接着剤であってもよい。
【００２３】
支持表面に保持部品を固定する手段は、支持表面にフックで留めるように構成された１つまたはそれ以上のクリップで形成したものであってもよい。
【００２４】
保持部品の本体部は、固定面を構成する第１の平坦面および第２の平坦面を構成する第２の扁平表面を有するタブレットの形態を有し、扁平筆記具を静止させる手段を担持し、静止させる手段は、タブレットの第２の表面に配置されたループまたはフックで構成され、扁平筆記具は、保持部品のループまたはフックと係合するフックまたはループを有し、これらのループまたはフックにより、扁平筆記具を保持部品に対して静止させるものであってもよい。
【００２５】
択一的には、保持部品の本体部は、固定面を構成する第１の平坦面および第２の平坦面を構成する第２の扁平表面を有するタブレットの形態を有し、扁平筆記具を静止させる手段を担持し、静止させる手段は、磁石を含む部材または磁石により引き付けられる部材により構成され、扁平筆記具は、磁石により引き付けられる部材または磁石を含む部材により構成され、これらの間の磁力による引力により、扁平筆記具を保持部品に対して静止させるものであってもよい。
【００２６】
さらに択一的には、扁平筆記具を保持部品に静止させる手段は、スナップ固定式に扁平筆記具を保持部品に静止させるために、扁平筆記具により担持された金属部材に圧力下で係合するように配置された金属部材により構成されるものであってもよい。
【００２７】
好適には、保持部品の本体部は、固定面を構成する平坦面、および内部に空洞を含むブロックを有する扁平ブロックの形態を有し、扁平ブロックのブロックは、固定面に実質的に平行に配向された本体部の一方の端面において開口部を有し、ブロックの開口部は、扁平筆記具の一部を収容する寸法を有し、扁平筆記具の一部を保管位置に保持し、空洞は、本体部の第２の端面を構成する下面、および下面に対向する上面を含む上壁により画定され、空洞の下面または上面のうちの一方、および保管位置にある空洞に挿入された扁平筆記具の一部が突起部を有し、空洞の下面または上面のうちの他方、および保管位置にある空洞に挿入された扁平筆記具の一部が突起部を受容する凹部を有し、突起部および凹部は、扁平筆記具が保管位置に配置されたとき、保持部品に対する扁平筆記具の挿入／離脱方向において隣接することにより係止部を構成するような寸法を有する。
【００２８】
換言すると、突起部が空洞内に設けられ、凹部が扁平筆記具に設けられていてもよいし、逆の場合でもよい。
【００２９】
この機構により、扁平筆記具を保持部品に確実に静止させ、着脱自在に取り付けることができる。
【００３０】
好適には、扁平筆記具は、長く扁平した本体部を有し、本体部は、筆記先端部が延びる一方の端面、および扁平した固定部が延びる対向する他方の端面を有し、扁平筆記具が保管位置に配置されるとき、固定部が保持部品の空洞内に収容されるように、本体部の厚みは、空洞の下面と上面との間の最大距離と定義される空洞の高さより薄く、扁平筆記具が保管位置に配置されるとき、固定部の第１の端面が、空洞の下面に対向し、固定部の第１の端面に対向する第２の端面が、空洞の上面に対向するように配置され、固定部の第１の端面もしくは第２の端面が、凹部もしくは突起部を担持し、または空洞の下面もしくは上面が突起部もしくは凹部を担持する。
【００３１】
扁平筆記具の本体部の第２の端面は、保持部品の本体部の第１の端面と相補的な形状を有し、保持部品の本体部は、空洞にて開口し、固定部の凹部もしくは突起部および扁平筆記具の本体部の第２の端面の間の距離は、突起部もしくは突起部および保持部品の本体部の第１の端面の間の距離に等しく、扁平筆記具が保管位置に配置されるとき、扁平筆記具の本体部の第２の端面が保持部品の本体部の第１の端面と適合するものであってもよい。
【００３２】
開口部は、本体部の第１の端面に対向する本体部の第２の端面において、空洞の上壁内に設け、空洞を開口し、固定部の長さは、本体部の第１の端面と開口部との間の距離より大きく、扁平筆記具が保管位置に配置されるとき、固定部が開口部を貫通して突出するように構成してもよい。
【００３３】
好適には、保持部品の突起部が空洞の上面により担持され、固定部の厚みが空洞の高さより薄く、固定部が扁平筆記具の本体部により担持され、扁平筆記具が保管位置に配置されるとき、固定部の第２の端面が空洞の上面に当接し、固定部の第１の端面と空洞の下面との間に公差が設けられる。
【００３４】
このようにして、保持部品の突起部は、離脱方向に筆記具をスライド移動させることにより、固定部の凹部との係合を解除することができる。片手で１つの動作で、扁平筆記具を保管位置に配置し、保持部品から離脱させることができ、これは、たとえば筆記帳または手帳を別の手で持っているユーザにとって特に便利である。
【００３５】
上記公差が凹部および突起部が互いに当接する高さより大きい場合、固定部を下げることができる上記公差を小さくしてもよいことに留意すべきである。
【００３６】
好適には、空洞の上壁の外側表面および扁平筆記具の本体部の外側表面は、扁平筆記具が保管位置に配置されるとき、支持表面の対向するように構成され、同一の断面形状を有し、固定面と上壁の外側表面との間の固定面に垂直な方向の最大距離と定義される保持部品の本体部の高さは、本体部の厚みは、空洞の下面と上面との間の最大距離と定義される空洞の高さは、扁平筆記具が保管される空洞に挿入されない扁平筆記具の部分の厚みと実質的に同一である。
【００３７】
すなわち扁平筆記具および保持部品からなるアセンブリは、保管状態にあるとき、筆記帳または手帳を閉じたときに当接するページに損傷を与えないように、連続した費用面を有する。
【００３８】
好適には、扁平筆記具の扁平本体部および保持部品の扁平本体部は、スピードバンプのような断面形状を有し、外側表面は、保持部品が固定される支持表面に対向するように構成される。
【００３９】
スピードバンプのような形状にすると、筆記帳または手帳を閉じたとき、筆記帳または手帳のページを保持部品およびペンの外形形状に適合させることにより、そのページが持続的に変形し、または劣化するリスクを最小限に抑えることができる。
【００４０】
筆記具の本体部および保持部品の扁平本体部の厚みを４ｍｍとして、筆記帳または手帳を閉じたとき、筆記帳または手帳を大きく変形させることがないようにすることができる。
【図面の簡単な説明】
【００４１】
本発明をより十分に理解できるように、添付図面を参照しながら特定の実施形態について以下説明する。
【図１】本発明に係る筆記具および保持部品からなるアセンブリの分解正面図である。
【図２】本発明に係る筆記具および保持部品からなるアセンブリの分解側面図である。
【図３】本発明に係るアセンブリの平面図であって、筆記具が保管状態にあるときのアセンブリを示す。
【図４】本発明に係るアセンブリの保持部品および保管状態にある筆記具の長手方向の断面図である。
【図５】本発明に係るアセンブリの保持部品および保管位置にある筆記具の図４の拡大断面図である。
【図６】開いた手帳の斜視図であって、本発明に係る保持部品がカバーの内側表面に固定され、筆記具が保管位置にある状態を示す。
【図７】本発明に係るアセンブリの底面図であって、図６の手帳を閉じたときの筆記具の筆記先端部を示す。
【発明を実施するための形態】
【００４２】
図１および図２を参照すると、本発明に係るアセンブリ（組み立て完成品）は、扁平したペンタイプの筆記具１、およびこれと係合するように構成された保持部品２からなる。
【００４３】
ペン１は、スピードバンプ（減速突起）状断面を有する扁平した長い本体部１１を備える。すなわち本体部１１は、外側扁平下面１１１および外側弓状上面１１２を有する。
【００４４】
筆記先端部１２は、本体部１１の一方の端部から延び、筆記先端部の１２は、本体部の端部１１３の領域内に設けられたカートリッジによりインクが供給される。
【００４５】
固定部１３は、本体部１１と一体成形されるが、本体部１１の端部１１４から延び、端部１１４は、扁平し、端部１１３と対抗するものである。
【００４６】
固定部１３は、筆記先端部１２とは反対方向であって、本体部１１の平均長手方向に、本体部１１から突出する扁平タブの形態を有する。また扁平タブは、スピードバンプ（減速突起）の断面形状を有し、扁平下面１３１および弓状上面１３２を有し、その自由端１３３は丸みを帯びている（湾曲している）。
【００４７】
固定部１３の厚みが下面１３１と上面１３２との間の最大距離と定義され、本体部１１の厚みが下面１１１と上面１１２との間の最大距離と定義されるが、固定部１３の厚みは、本体部１１の厚みより肉薄である。また、タブの扁平下面１３１が本体部１１の扁平外側下面１１１の延長線上にないように、すなわち位置がずれるように、本体部はタブを支持する。
【００４８】
本体部１１の端部１１４ではなく、扁平タブの自由端１３３により近い位置における弓状上面１３２には、凹部１３４が設けられている。
【００４９】
保持部品２は、細長い一体成形されたブロックの形状を有する本体部２１で形成されている。
【００５０】
ペン１の本体部１１および保持部品２の本体部２１は、プラスティック材料を用いて成形されている。
【００５１】
本体部２１の断面は、扁平下面２１１および弓状上面２１２を含む、スピードバンプのような断面形状を有する。
【００５２】
図示しない両面接着テープが扁平下面２１１に接着されている。
【００５３】
保持部品２の本体部２１は、少なくともペンの端部１１４の領域部分に適合するように選択された外形形状および外形寸法を有する。
【００５４】
保持部品２の本体部２１には、その平均長手方向に延びる空洞（キャビティ）２２が設けられており、その空洞は本体部２１の第１の端面２１３において開口している。第１の端面２１３は平坦である。
【００５５】
空洞２２は、同様に、スピードバンプのような断面形状を有し、内側扁平下面２２１および内側弓状上面２２２により画定されている。
【００５６】
保持部品２の本体部２１は、その弓状上面２１２であって、第１の端面２１３に対向する本体部２１の第２の端面２１４上に設けた開口部２４を有する。第２の端面２１４は、丸みを帯び（湾曲し）、その曲線形状は固定部１３の自由端１３３の曲線形状と類似している。
【００５７】
図３に示すように、空洞２２は、その内部に固定部１３が挿入され、固定部の自由端１３３が開口部２４まで延びるような寸法を有する。
【００５８】
図４および図５を参照すると、第１の端面２１３に対向する自由端において、突起部２２３が内側上面２２２から空洞の内側に向かって延びている。
【００５９】
突起部２２３と本体部２１の第１の端面２１３との間の本体部２１の長手方向の距離は、凹部１３４と本体部１１の端部１１４との間の本体部１１の長手方向の距離と等しい。
【００６０】
突起部２２３および凹部の寸法は、突起部２２３が凹部１３４内に入り、ペン１の動きを抑制できるように選択されている。たとえば、突起部２２３および凹部１３４はそれぞれ、０．５ｍｍおよび０．６ｍｍの深さ、２ｍｍおよび２．１ｍｍの長さ、および３ｍｍおよび５ｍｍの幅を有する。
【００６１】
固定部１３の下面１３１と本体部１１の外側下面１１１との間の下面１３１に垂直な方向の距離は、保持部品２の下面２１１と空洞２２の下面２２１との間の距離より、少なくとも多少なりとも大きい。
【００６２】
ペン１の本体部１１の厚みは外側下面１１１と弓状上面１１２の間の最大距離と定義され、保持部品２の本体部２１の高さは下面２１１と弓状上面２１２との間の最大距離として定義されるが、ペン１の本体部１１の厚みは、保持部品２の本体部２１の高さに実質的に等しい。ペン１の本体部１１および保持部品２の本体部２１は、スピードバンプのような断面形状を有するが、これらの平均長手方向ラインにおける最大距離が得られる。
【００６３】
最後に、固定部１３の弓状上面１３２と本体部１１の弓状上面１１２との間の距離は、弓状上面１３２と直交する方向において、空洞の上壁の厚み、つまり空洞２２の内側上面２２２と保持部品２の弓状上面２１２との間の距離に等しい。
【００６４】
ペン１および保持部品２に関する上記の特別な寸法により、ペン１が保持部品２内に配置されるとき、これらが互いに延長方向に延びるように構成し、円滑な外側形状を有するアセンブリを形成することにより、アセンブリを取り付ける筆記帳または手帳のページに損傷を与えるリスクを回避しつつ、保持部品２を固定する表面に当接させ、または近傍に配置することができる。
【００６５】
ユーザは、ペン１を保管したい場合、ただ１つの動作で固定部１３を空洞２２内に挿入さえすればよく、このとき突起部２２３が固定部１３の自由端１３３にわずかに当接して、わずかに下方に移動し、固定部１３が上方に移動し、凹部１３４が突起部２２３に対向すると、突起部２２３が凹部１３４に収容されるように配置され、ペン１の動きを抑制することができる。
【００６６】
ペン１は、この保管位置にあるとき、着脱可能に、かつ確実に保持部品２に保持することができる。
【００６７】
さらに、上述のように、保持部品２の本体部２１が、本体部１１の端部１１４の領域の形状および外形寸法に適合する他の形状および外形寸法を有すること、および端部１１４が本体部２１の第１の端面２１３に完全に適合すること、および自由端１３３が本体部２１の第２の端面２１４と同一の曲面を有することから、ペン１および保持部品２からなるアセンブリは、アセンブリを取り付ける表面を裂いたり、孔をあけたりする突起部、すなわち鋭利な部分を有することなく、均質な形状を有する。
【００６８】
ユーザは、保持部品２に保持されたペン１を取り出したい場合、保持部品２から固定部１３を取り外すために、ペン１の本体部１１を保持部品２とは反対の方向にスライドさえすればよい。実際のところ、突起部２２３を凹部１３４から離脱させるためには、ペン１をスライドさせる圧力を与えるだけでよく、こうした離脱には、少しの労力を要するものである。
【００６９】
上述のように、ユーザが片手で１つの造作だけを要するものであることから、保持部品２および固定部１３を用いて、ペン１を容易にかつ迅速に着脱することができる。
【００７０】
図５を参照すると、両面接着テープを用いて、筆記帳または手帳のカバーまたはページの内面で形成される支持表面３に、保持部品２を永続的に固定することができる。
【００７１】
すなわち、ペン１を保持部品２に保持するとき、ペン１が筆記帳または手帳から突出しないように、保持部品２の所定の位置および向きにペン１を固定することができる。
【００７２】
本発明に係る筆記具および保持部品からなるアセンブリによれば、ペン１および／または保持部品２が意図しないのに分離することを回避できる。
【００７３】
図６を参照すると、筆記帳または手帳は、ペン１および保持部品２上で閉じられているとき、そのスピードバンク形状に起因して、これらの上にあるページを、これらの外形形状に合致するように少しだけ湾曲させ、そのページが永久的に変形し、劣化するリスクを最小限に抑えることができる。
【００７４】
当然に、上記説明した実施形態は、具体例として説明したものであって、本発明を限定するものではなく、本発明の範疇から逸脱しない変形例を想到することかできる。
【図１】
2014516828.tif 000003
【図２】
2014516828.tif 000004
【図３】
2014516828.tif 000005
【図４】
2014516828.tif 000006
【図５】
2014516828.tif 000007
【図６】
2014516828.tif 000008
【図７】
2014516828.tif 000009
【手続補正書】
【提出日】平成26年1月7日(2014.1.7)
【手続補正１】
【補正対象書類名】特許請求の範囲
【補正対象項目名】全文
【補正方法】変更
【補正の内容】
【特許請求の範囲】
【請求項１】
扁平筆記具（１）と、たとえば筆記帳または手帳のカバーまたはページである筆記帳または手帳の扁平支持表面（３）に扁平筆記具（１）を保持する保持部品（２）とからなるアセンブリにおいて、
保持部品（２）は、扁平支持表面（３）に固定され、扁平支持表面（３）に平行に延びる保管位置にあるとき、扁平筆記具を着脱可能に静止させ、
保持部品（２）は、扁平支持表面（３）に固定される第１の平坦面（２１１）、いわゆる固定面を有し、扁平筆記具（１）を保管位置に静止させる手段を担持する本体部（２１）で構成され、
固定面（２１１）が保持部品（２）を扁平支持表面（３）に固定する手段を担持することを特徴とするアセンブリ。
【請求項２】
保持部品（２）を固定する手段は、接着固定手段であり、任意的には着脱可能な接着固定手段であることを特徴とする請求項１に記載のアセンブリ。
【請求項３】
保持部品（２）を固定する接着固定手段は、保持部品（２）の固定面（２１１）に接着させた両面接着テープであり、両面接着テープが固定面（２１１）に固定された後、両面接着テープの自由表面上に接着剤が存在し、その接着剤は、可能ならば着脱可能な接着剤であることを特徴とする請求項１または２に記載のアセンブリ。
【請求項４】
保持部品（２）の本体部（２１）は、固定面を構成する第１の平坦面および第２の平坦面（２２１）を構成する第２の扁平表面を有するタブレットの形態を有し、扁平筆記具（１）を静止させる手段を担持し、
静止させる手段は、タブレットの第２の表面に配置されたループまたはフックで構成され、
扁平筆記具（１）は、保持部品（２）のループまたはフックと係合するフックまたはループを有し、
これらのループまたはフックにより、扁平筆記具（１）を保持部品（２）に対して静止させることを特徴とする請求項１〜３のいずれか１に記載のアセンブリ。
【請求項５】
保持部品（２）の本体部（２１）は、固定面を構成する第１の扁平表面および第２の平坦面（２２１）を構成する第２の扁平表面を有するタブレットの形態を有し、扁平筆記具（１）を静止させる手段を担持し、
静止させる手段は、磁石を含む部材または磁石により引き付けられる部材により構成され、
扁平筆記具（１）は、磁石により引き付けられる部材または磁石を含む部材により構成され、
これらの間の磁力による引力により、扁平筆記具（１）を保持部品（２）に対して静止させることを特徴とする請求項１〜３のいずれか１に記載のアセンブリ。
【請求項６】
扁平筆記具（１）を保持部品（２）に静止させる手段は、スナップ固定式に扁平筆記具（１）を保持部品（２）に静止させるために、扁平筆記具（１）により担持された金属部材に圧力下で係合するように配置された金属部材により構成されることを特徴とする請求項１〜３のいずれか１に記載のアセンブリ。
【請求項７】
保持部品（２）の本体部（２１）は、固定面（２１１）を構成する平坦面、および内部に空洞を含むブロックを有する扁平ブロックの形態を有し、
扁平ブロックのブロックは、固定面（２１１）に実質的に平行に配向された本体部（２１）の一方の端面（２１３）において開口部を有し、
ブロックの開口部は、扁平筆記具（１）の一部を収容する寸法を有し、扁平筆記具（１）の一部を保管位置に保持し、
空洞（２２）は、本体部（２１）の第２の端面（２２１）を構成する下面、および下面（２２１）に対向する上面（２２２）を含む上壁により画定され、
空洞（２２）の下面（２２１）または上面（２２２）のうちの一方、および保管位置にある空洞（２２）に挿入された扁平筆記具（１）の一部が突起部（２２３）を有し、空洞（２２）の下面（２２１）または上面（２２２）のうちの他方、および保管位置にある空洞（２２）に挿入された扁平筆記具（１）の一部が突起部（２２３）を受容する凹部（１３４）を有し、
突起部（２２３）および凹部（１３４）は、扁平筆記具（１）が保管位置に配置されたとき、保持部品（２）に対する扁平筆記具（１）の挿入／離脱方向において隣接することにより係止部を構成するような寸法を有することを特徴とする請求項１〜３のいずれか１に記載のアセンブリ。
【請求項８】
扁平筆記具（１）は、長く扁平した本体部（１１）を有し、本体部（１１）は、筆記先端部が延びる一方の端面（１１３）、および扁平した固定部（１３）が延びる対向する他方の端面（１１４）を有し、
扁平筆記具（１）が保管位置に配置されるとき、固定部（１３）が保持部品（２）の空洞（２２）内に収容されるように、本体部（１１）の厚みは、空洞（２２）の下面（２２１）と上面（２２２）との間の最大距離と定義される空洞（２２）の高さより薄く、
扁平筆記具（１）が保管位置に配置されるとき、固定部（１３）の第１の端面（１３１）が、空洞（２２）の下面（２２１）に対向し、固定部（１３）の第１の端面（１３１）に対向する第２の端面（１３２）が、空洞（２２）の上面（２２２）に対向するように配置され、
固定部（１３）の第１の端面（１３１）もしくは第２の端面（１３２）が、凹部（１３４）もしくは突起部（２２３）を担持し、または空洞（２２）の下面（２２１）もしくは上面（２２２）が突起部（２２３）もしくは凹部（１３４）を担持することを特徴とする請求項７に記載のアセンブリ。
【請求項９】
扁平筆記具（１）の本体部（１１）の第２の端面（１１４）は、保持部品（２）の本体部（２１）の第１の端面（２１３）と相補的な形状を有し、
保持部品（２）の本体部（２１）は、空洞（２２）にて開口し、
固定部（１３）の凹部（１３４）もしくは突起部（２２３）および扁平筆記具（１）の本体部（１１）の第２の端面（１１４）の間の距離は、突起部（２２３）もしくは突起部（２２３）および保持部品（２）の本体部（２１）の第１の端面（２１３）の間の距離に等しく、扁平筆記具（１）が保管位置に配置されるとき、扁平筆記具（１）の本体部（１１）の第２の端面（１１４）が保持部品（２）の本体部（２１）の第１の端面（２１３）と適合することを特徴とする請求項７に記載のアセンブリ。
【請求項１０】
保持部品（２）の突起部（２２３）が空洞（２２）の上面（２２２）により担持され、固定部（１３）の厚みが空洞（２２）の高さより薄く、固定部（１３）が扁平筆記具（１）の本体部（１１）により担持され、扁平筆記具（１）が保管位置に配置されるとき、固定部（１３）の第２の端面（１１４）が空洞（２２）の上面（２２２）に当接し、固定部（１３）の第１の端面（１３１）と空洞（２２）の下面（２２１）との間に公差が設けられることを特徴とする請求項８または９に記載のアセンブリ。
【請求項１１】
空洞（２２）の上壁の外側表面（２１２）および扁平筆記具（１）の本体部（１１）の外側表面は、扁平筆記具（１）が保管位置に配置されるとき、支持表面（３）の対向するように構成され、同一の断面形状を有し、
固定面（２１１）と上壁の外側表面（２１２）との間の固定面（２１１）に垂直な方向の最大距離と定義される保持部品（２）の本体部（２１）の高さは、本体部（１１）の厚みは、空洞（２２）の下面（２２１）と上面（２２２）との間の最大距離と定義される空洞（２２）の高さは、扁平筆記具（１）が保管される空洞（２２）に挿入されない扁平筆記具（１）の部分の厚みと実質的に同一であることを特徴とする請求項７〜１０のいずれか１に記載のアセンブリ。
【請求項１２】
扁平筆記具（１）の扁平本体部（１１）および保持部品（２）の扁平本体部（２１）は、スピードバンプのような断面形状を有し、
外側表面（１１１，２１１）は、保持部品（２）が固定される支持表面（３）に対向するように構成されることを特徴とする請求項７〜１１のいずれか１に記載のアセンブリ。
【国際調査報告】
2014516828.tif 000010
2014516828.tif 000011
2014516828.tif 000012
2014516828.tif 000013